(57)【特許請求の範囲】
【請求項１】
筐体と、
前記筐体の前面に設けられ、画面に、ユーザーの日常生活のシーンを言葉で表現するシーンセレクトを複数表示するインターフェイス表示部と、
前記筐体の前面に設けられ、前記インターフェイス表示部に表示されるシーンセレクトを選択・決定するためのシーンボタンと、を備え、
前記インターフェイス表示部に表示されるシーンセレクトを、複数選択可能であることを特徴とする空気調和機の遠隔制御装置。
【請求項２】
前記インターフェイス表示部は、前記シーンセレクトの複数選択の頻度と複数選択された前記シーンセレクトの組み合わせとに応じて、前記画面に表示する内容を変更することを特徴とする請求項１に記載の空気調和機の遠隔制御装置。
【請求項３】
前記インターフェイス表示部は、前記画面に、複数選択の頻度が一定以上ある前記シーンセレクトの組み合わせを１つの新たなシーンセレクトとして表示することを特徴とする請求項１又は２に記載の空気調和機の遠隔制御装置。
【発明の詳細な説明】
【技術分野】
【０００１】
この発明は、空気調和機の遠隔制御装置に関するものである。
【背景技術】
【０００２】
空気調和機の高機能化ならびに高付加価値デバイスの搭載に伴い、高付加価値機能を実行／停止するための信号を発信するリモコン（遠隔制御装置）のボタン数は増加の一途である。
【０００３】
リモコンの限られたスペース内におけるボタン数の増加に対応するために、以下に示す方法などを用いてリモコンとユーザーとのインターフェイス操作部を構成している。
（１）ボタン自身の大きさを縮小する方法；
（２）配列するボタン列間のスペースを縮小する方法；
（３）一つのボタンにて多数の機能を選択させるインターフェイスを採用する方法。
【０００４】
その為、ボタン一つ一つの機能を表現する言葉自体もボタンの大きさ、ボタン間スペースの広さに依存することになる。そのため、ユーザーが快適な空調を実現するために必要となる空気調和機の機能選択の操作自体を難しくしてしまう。それと同時に、ボタン上またはボタン近傍に記載された機能言葉だけでは、ユーザーがボタンを押した際に実現される機能を理解できず、操作すること自体をあきらめてしまうという課題があった。
【０００５】
そこで、ユーザーの操作負担を軽減させることができる空気調和機のリモコンが提案されている（例えば、特許文献１参照）。
【先行技術文献】
【特許文献】
【０００６】
【特許文献１】特開２００９−１２７９６０号公報
【特許文献２】特開２００２−２２２５０号公報
【発明の概要】
【発明が解決しようとする課題】
【０００７】
しかしながら、上記特許文献１に記載された空気調和機のリモコンでも、以下に示す課題は依然として解消されていない。
【０００８】
従来の複数あるリモコンボタン入力によるインターフェイス技術では、お客様の来客時等の日常以外の生活シーンにおける適切なリモコン設定がわからないといった不安や、普段使わない機能はいざというときに使い方がわからず最後はあきらめてしまうといったような、複雑な操作と印象を与えてしまっているといった課題を有している。
【０００９】
また、新しい付加価値名称を記載してあるボタンであっても、そのボタンを押したときの効果・機能がわからないといった課題を有している。
【００１０】
この発明は、上記のような課題を解決するためになされたもので、ボタン入力ではなく、ユーザーの日常生活のシーンを言葉で表現する入力にすることで、付加価値機能に迷うことなく、且つあきらめることなく空気調和機の付加機能をフルに使うことができ、空気調和機の省エネを容易に実現することを可能とする空気調和機の遠隔制御装置を提供する。
【課題を解決するための手段】
【００１１】
この発明に係る空気調和機の遠隔制御装置は、
筐体と、
記筐体の前面に設けられ、画面に、ユーザーの日常生活のシーンを言葉で表現するシーンセレクトを複数表示するインターフェイス表示部と、
筐体の前面に設けられ、インターフェイス表示部に表示されるシーンセレクトを選択・決定するためのシーンボタンと、を備えたものである。
【発明の効果】
【００１２】
この発明に係る空気調和機の遠隔制御装置は、ボタン入力ではなく、インターフェイス表示部に表示されるユーザーの日常生活のシーンを言葉で表現するシーンセレクトを選択して入力することで付加価値機能に迷うことなく、あきらめることなく空気調和機の付加機能をフルに使うことができることで、空気調和機の省エネを容易に実現することが可能となる。
【図面の簡単な説明】
【００１３】
【図１】実施の形態１を示す図で、リモコン１００の外観正面図。
【図２】実施の形態１を示す図で、リモコン１００の側面図。
【図３】実施の形態１を示す図で、リモコン１００の平面図。
【図４】実施の形態１を示す図で、リモコン１００のインターフェイス表示部１にシーンセレクト画面が表示され、カーソルが「急いで冷やしたい」にある状態を示す図。
【図５】実施の形態１を示す図で、リモコン１００のインターフェイス表示部１にシーンセレクト画面が表示され、カーソルが「空気をキレイにしたい」に移動した状態を示す図。
【図６】実施の形態１を示す図で、リモコン１００のインターフェイス表示部１にシーンセレクト画面が表示され、カーソルが「お客様をもてなしたい」に移動した状態を示す図。
【図７】実施の形態１を示す図で、リモコン１００のインターフェイス表示部１に通常画面が表示された状態を示す図。
【図８】実施の形態１を示す図で、リモコン１００のインターフェイス表示部１にシーンセレクト画面（メニュー画面）が表示され、ユーザーがシーンを選択するまでの状態を示す図（（ａ）はカーソルが「急いで冷やしたい」にある状態、（ｂ）はカーソルが「風にあたりたくない」にある状態、（ｃ）はカーソルが「お客様をもてなしたい」にある状態）。
【図９】実施の形態１を示す図で、リモコン１００のインターフェイス表示部１に、「シーン内容」、「シーン詳細設定」が表示された状態を示す図（（ｄ）は「シーン内容」、（ｅ）〜（ｇ）は「シーン詳細設定」）。
【図１０】実施の形態１を示す図で、シーンセレクト「空気をキレイにしたい」のアニメーションを示す図。
【図１１】実施の形態１を示す図で、シーンセレクト「お肌をケアしたい」のアニメーションを示す図。
【図１２】実施の形態１を示す図で、シーンセレクトの内容を複数選択したときのシーンセレクト選択画面の拡大図。
【図１３】実施の形態１を示す図で、リモコン１００のインターフェイス表示部１に、「急いで冷やし、空気をキレイにしたい」のように組み合わせたシーンセレクトが表示された状態を示す図。
【図１４】比較のために示す図で、一般的なリモコン２００の扉閉時の側面図。
【図１５】比較のために示す図で、一般的なリモコン２００の扉開時の側面図。
【図１６】比較のために示す図で、一般的なリモコン２００の扉閉時の正面図。
【図１７】比較のために示す図で、一般的なリモコン２００の扉開時の正面図。
【発明を実施するための形態】
【００１４】
実施の形態１．
図１乃至図１３は実施の形態１を示す図で、図１はリモコン１００の外観正面図、図２はリモコン１００の側面図、図３はリモコン１００の平面図、図４はリモコン１００のインターフェイス表示部１にシーンセレクト画面が表示され、カーソルが「急いで冷やしたい」にある状態を示す図、図５はリモコン１００のインターフェイス表示部１にシーンセレクト画面が表示され、カーソルが「空気をキレイにしたい」に移動した状態を示す図、図６はリモコン１００のインターフェイス表示部１にシーンセレクト画面が表示され、カーソルが「お客様をもてなしたい」に移動した状態を示す図、図７はリモコン１００のインターフェイス表示部１に通常画面が表示された状態を示す図、図８リモコン１００のインターフェイス表示部１にシーンセレクト画面（メニュー画面）が表示され、ユーザーがシーンを選択するまでの状態を示す図（（ａ）はカーソルが「急いで冷やしたい」にある状態、（ｂ）はカーソルが「風にあたりたくない」にある状態、（ｃ）はカーソルが「お客様をもてなしたい」にある状態）、図９はリモコン１００のインターフェイス表示部１に、「シーン内容」、「シーン詳細設定」が表示された状態を示す図（（ｄ）は「シーン内容」、（ｅ）〜（ｇ）は「シーン詳細設定」）、図１０はシーンセレクト「空気をキレイにしたい」のアニメーションを示す図、図１１はシーンセレクト「お肌をケアしたい」のアニメーションを示す図、図１２はシーンセレクトの内容を複数選択したときのシーンセレクト選択画面の拡大図、図１３はリモコン１００のインターフェイス表示部１に、「急いで冷やし、空気をキレイにしたい」のように組み合わせたシーンセレクトが表示された状態を示す図である。
【００１５】
図１４乃至図１７は比較のために示す図で、図１４は一般的なリモコン２００の扉閉時の側面図、図１５は一般的なリモコン２００の扉開時の側面図、図１６は一般的なリモコン２００の扉閉時の正面図、図１７は一般的なリモコン２００の扉開時の正面図である。
【００１６】
図１乃至図３により、リモコン１００（遠隔制御装置）の構成を説明する。
【００１７】
図１乃至図３に示すリモコン１００は、リモコン本体１０（筐体）が正面視で略四角形のスティックタイプのものである。通常のスティックタイプのものに比べて、縦方向（図１で上下方向）の長さが短い。即ち、リモコン１００は、横長画面のコンパクトサイズである。
【００１８】
図１乃至図３に示すリモコン１００の特徴は、通常のものに比べてユーザーが操作するボタンの数を大幅に減らしている点にある。詳細は、後述する。
【００１９】
図１に示すリモコン１００は、図示しない空気調和機が停止中のため、リモコン本体１０の前面上部のインターフェイス表示部１に、時刻のみが表示されている。
【００２０】
インターフェイス表示部１には、例えば、フルドット（２５５＊１６０）ＬＣＤ（液晶ディスプレイ）を用いている。
【００２１】
従来のリモコンのインターフェイス表示部に用いているセグメント表示の表示制約（※決められた領域にて決められた内容でしか表示することができない機能制限）をなくし、インターフェイス画面内で自由な表現とアニメーションを展開することが可能となっている。
【００２２】
インターフェイス表示部１の下方で、リモコン１００の略中央部に、運転入／切ボタン２と、運転モード切換ボタン３とが配置されている。
【００２３】
図１では、運転入／切ボタン２が右側で、運転モード切換ボタン３が左側になっているが、その逆でも構わない。
【００２４】
運転モード切換ボタン３は、冷房ボタン３ａと、除湿切換ボタン３ｂと、暖房ボタン３ｃとで構成される。
【００２５】
運転入／切ボタン２と、運転モード切換ボタン３との下方に、シーンボタン４と、しつど調節ボタン５と、温度調節ボタン６とが、一つの円の中に配置されている。
【００２６】
シーンボタン４は、シーンセレクトボタン４ａと、上下ボタン４ｂと、決定ボタン４ｃとで構成される。
【００２７】
上下ボタン４ｂは、大きい円の中の中央部に配置され、円形状をなしている。
【００２８】
シーンセレクトボタン４ａと、しつど調節ボタン５と、決定ボタン４ｃと、温度調節ボタン６とが、ドーナッツ状に配置されている。
【００２９】
シーンボタン４、しつど調節ボタン５及び温度調節ボタン６の左隣に、戻るボタン７が配置されている。戻るボタン７は、後述するが、例えば、設定終了などの機能を有する。
【００３０】
リモコン１００の使用方法について説明する。空気調和機が停止している状態から、空気調和機の運転を開始する場合、運転入／切ボタン２、もしくは運転モード切換ボタン３の冷房ボタン３ａと、除湿切換ボタン３ｂと、暖房ボタン３ｃのいずれかを押すことで、空気調和機は運転を開始する。
【００３１】
冷房運転を行いたいときは、運転入／切ボタン２、もしくは運転モード切換ボタン３の冷房ボタン３ａを押す。運転入／切ボタン２を押す場合は、前回の運転モードになる。例えば、前回が冷房であれば、今回も冷房になる。前回の運転モードと異なる運転モードにしたい場合は、その運転モードのボタンをもう一度押す。例えば、前回が除湿運転で、今回冷房運転を行いたいときは、運転入／切ボタン２を押すと除湿運転が開始するが、運転モード切換ボタン３の冷房ボタン３ａを押すことで冷房運転が開始する。
【００３２】
空気調和機が停止している状態から、運転入／切ボタン２、もしくは運転モード切換ボタン３の冷房ボタン３ａと、除湿切換ボタン３ｂと、暖房ボタン３ｃのいずれかを押すことで、空気調和機は運転を開始するが、このとき、リモコン１００のインターフェイス表示部１には、シーンセレクト画面が表示される（図４参照）。
【００３３】
詳細は後述するが、ユーザーがシーンセレクト選択実施後、所定時間経過すると、リモコン１００のインターフェイス表示部１は通常画面（温度、湿度などの設定画面）に切換わる。
【００３４】
リモコン１００のインターフェイス表示部１が通常画面で、且つシーン未設定時に、シーンセレクト画面を表示させるには、シーンボタン４のシーンセレクトボタン４ａを押すと、インターフェイス表示部１はシーンセレクト画面になる。
【００３５】
次に、シーンセレクトの内容について説明する。インターフェイス表示部１に、生活シーンにあった最適なユーザーの気持ち（そのときに設定したい内容）を表示する。シーンセレクトの入力内容は、例えば、以下に示すとおりである。
（１）急いで冷やしたい（急いで暖めたい）；
（２）風にあたりたくない（風にあたりたい）；
（３）空気をきれいにしたい；
（４）部屋干ししたい；
（５）お肌をケアしたい；
（６）お客様をもてなしたい；
（７）快適に寝たい。
【００３６】
空気調和機の運転開始時、もしくは空気調和機の運転中にシーン設定のために、ユーザーがシーンボタン４のシーンセレクトボタン４ａを押すと、リモコン１００のインターフェイス表示部１は、例えば、図４に示すようなシーンセレクト画面（メニュー画面）になる。カーソルは、一番上の「急いで冷やしたい」にある。
【００３７】
ユーザーが選びたい入力内容にカーソルを移動するには、シーンボタン４の上下ボタン４ｂにより行う。例えば、「空気をキレイにしたい」を選ぶときは、図４の状態から、上下ボタン４ｂの「▼」を二回押すと、図５に示すように、カーソルは「空気をキレイにしたい」に移動する。
【００３８】
また、「お客さまをもてなしたい」を選ぶときは、図４の状態から、上下ボタン４ｂの「▼」を五回押すと、図６に示すように、カーソルは「お客さまをもてなしたい」に移動する。
【００３９】
以下、図８、図９を参照しながら、シーンセレクト画面（メニュー画面）における入力内容の選択、選択されたシーンの内容、及びシーン詳細設定の流れを説明する。
【００４０】
先ず、空気調和機の運転開始時、もしくは空気調和機の運転中にシーン設定のために、シーンボタン４のシーンセレクトボタン４ａを押すと、リモコン１００のインターフェイス表示部１は、例えば、図８（ａ）に示すようなシーンセレクト画面（メニュー画面）になる。カーソルは、一番上の「急いで冷やしたい」にある。
【００４１】
次いで、シーンボタン４の上下ボタン４ｂの「▼」をユーザーが一回押すと図８（ｂ）に示すように、カーソルが「風にあたりたくない」に移動する。
【００４２】
ユーザーの設定したい内容は、「風にあたりたくない」ではなく、「お客さまをもてなしたい」とする。そのため、ユーザーは、図８（ｃ）に示すように、さらにシーンボタン４の上下ボタン４ｂの「▼」を四回押してカーソルを「お客さまをもてなしたい」に移動させる。
【００４３】
カーソルが「お客さまをもてなしたい」にある状態で、シーンボタン４の決定ボタン４ｃを押す。すると、リモコン１００のインターフェイス表示部１には、図９（ａ）に示すように、シーン内容が表示される。
【００４４】
ここでは、例えば、「お客さまをもてなしたい」の内容として、上から順に、「ハイパワー  ３０分」、「風  上向き」、「白金ナノコロイド」が表示される。
【００４５】
ここで、シーン内容がこのままでよければ、戻るボタン７を押してシーン終了となる。シーン終了後、所定時間経過すると、リモコン１００のインターフェイス表示部１は、通常画面（温度、湿度などの設定画面）に変わる（図７参照）。
【００４６】
また、シーン内容の、例えば、「風  上向き」を切に変更したい場合は、ユーザーはシーンボタン４の決定ボタン４ｃを押す。すると、リモコン１００のインターフェイス表示部１は、図９（ｅ）のようなシーン詳細設定画面になる。
【００４７】
シーン詳細設定画面は、例えば、上から、「お客さまをもてなしたい  切  入」、「ハイパワー  ３０分  切  入  時間変更」、「風  上向き  切  入  調整」、「白金ナノコロイド  切  入」が表示される。尚、図９（ｅ）の入がオンの表示は、入を四角で囲って表示しているが、ここでは下線で示している。
【００４８】
図９（ｅ）のシーン詳細設定画面での左端の三角のカーソルは、「ハイパワー  ３０分
切  入  時間変更」にある。
【００４９】
ここで、ユーザーが、「風  上向き」を切に設定変更したいとする。
【００５０】
そこで、ユーザーは、シーンボタン４の上下ボタン４ｂの「▼」を一回押して三角のカーソルを、「風  上向き  切  入  調整」に移動する。
【００５１】
そして、ユーザーは、決定ボタン４ｃを二回押して「風  上向き  切  入  調整」に設定を変更する（図９（ｆ））。
【００５２】
さらに、ユーザーは、戻るボタン７を押して設定を終了する。すると、図９（ｇ）に示すように、リモコン１００のインターフェイス表示部１には、「お客さまをもてなしたい」の内容として、上から順に、「ハイパワー  ３０分」、「白金ナノコロイド」が表示される。
【００５３】
その後、所定時間が経過すると、リモコン１００のインターフェイス表示部１は、通常画面（温度、湿度などの設定画面）に切換わる（図７参照）。
【００５４】
図８（ａ）〜図８（ｃ）のシーンセレクト画面（メニュー画面）について、補足する。例えば、図８（ａ）〜図８（ｃ）では、リモコン１００のインターフェイス表示部１の大部分は、シーンセレクト画面（メニュー画面）に使用されるが、インターフェイス表示部１の下部には、シーンセレクトの入力内容とともに、選択されている（カーソルがある）シーンに対応したアニメーションが夫々の図に示すように表示される。
【００５５】
図８（ａ）に示すようなカーソルが一番上の「急いで冷やしたい」にあるときは、同図に示されているように、人が太陽の光を浴びて汗をかいているアニメーションが、インターフェイス表示部１の下部に表示される。
【００５６】
図８（ｂ）に示すようなカーソルが「風にあたりたくない」にあるときは、同図に示されているように、空気調和機からの調和空気が、人を避けて吹き分けられているアニメーションが、インターフェイス表示部１の下部に表示される。
【００５７】
図８（ｃ）に示すようなカーソルが「お客様をもてなしたい」にあるときは、同図に示されているように、人（客）が家に近づいているアニメーションが、インターフェイス表示部１の下部に表示される。
【００５８】
尚、図８（ａ）〜図８（ｃ）の各アニメーションは、同じものが表示されるのではなく、刻々と変化していく。図８（ａ）〜図８（ｃ）では、その中の一画面を表示している。
【００５９】
図８（ａ）〜図８（ｃ）のシーンセレクト画面（メニュー画面）でのアニメーションの表示方法には、二通りある。一つは、図８（ａ）〜図８（ｃ）に示すように、シーンセレクト画面（メニュー画面）の下にアニメーションを表示する方法である。
【００６０】
他の一つは、最初はシーンセレクト画面のみが表示され、所定時間経過後（例えば、数秒後）にアニメーションが、リモコン１００のインターフェイス表示部１の全画面に表示される。これにより、ユーザーはそのシーンの内容をよく理解できる。その後、アニメーション表示中の適当な時期に、ユーザーが決定ボタン４ｃを押すと、図９（ｄ）のシーン内容に移行する。
【００６１】
次に、刻々と変化していくアニメーションの一例を示す。図１０は、シーンセレクトが「空気をキレイにしたい」のときの、アニメーションの一例である。リモコン１００のインターフェイス表示部１の最上部に、「白金ナノコロイド放出中」が表示される。アニメーションは、矢印の順に変化していく。図中、小さい円形、ひし形のものが、白金ナノコロイドである。白金ナノコロイドにより、空気中のウイルスが消滅もしくは小さくなっていくことがわかる。
【００６２】
図１０に示すシーンセレクトが「空気をキレイにしたい」のときのアニメーションが、シーンセレクト画面で、「空気をキレイにしたい」にカーソルがきたときに、シーンセレクト画面の下、もしくはインターフェイス表示部１の全画面に表示される。
【００６３】
このように、空気をキレイにする方法として、空気中のウイルスを除去する機能をもつデバイスを運転させますといったことを、「白金ナノコロイドを放出中」という言葉による説明と、その機能内容をイメージさせるアニメーションを表示することを特徴としている。
【００６４】
空気中のウイルスを白金ナノコロイドにて除菌していく旨の内容をアニメーションにて表示することで、ユーザーに機能の内容をわかりやすく伝えることができる。それにより、空気調和機の持つ機能をユーザーが十二分に使いこなさせることで、より省エネな運転の励行をユーザーに実施させることができる。
【００６５】
図１１は、シーンセレクトが「お肌をケアしたい」のときの、アニメーションの一例である。リモコン１００のインターフェイス表示部１の最上部に、「白金ナノコロイド放出中」が表示される。アニメーションは、矢印の順に変化していく。図中、小さい円形のものが、白金ナノコロイドである。白金ナノコロイドにより、人の顔に白金ナノコロイドが作用して、肌がうるおされることがわかる。
【００６６】
図１２はシーンセレクトの内容を複数選択したときのシーンセレクト選択画面を拡大したものである。このように、二つ（複数）のシーンセレクトを選択することができる。これによって、ユーザーが、一つのシーンセレクトの選択で気持ちを満足することができない場合など、さまざま条件・気持ちに対応することできることを特徴としている。
【００６７】
図１２の例は、「急いで冷やしたい」、且つ「空気をキレイにしたい」の二つのシーンセレクトを選択している。二つ以上の複数のシーンセレクトの選択も可能である。
【００６８】
また、シーンセレクトの表示優先順番は、ユーザーの使用選択頻度により次回の選択画面から表示内容の順番を変更することを特徴とし、使用頻度の高いものから、インターフェイス表示部１の最上部から順に表示する。
【００６９】
また、複数選択の頻度、シーンセレクトの組み合わせを学習するとでシーンセレクトの入力内容を変更していくことも特徴としている。
【００７０】
例えば、「急いで冷やしたい」と「空気をキレイにしたい」とのシーンセレクト複数選択の頻度が多い場合は、「急いで冷やし、空気をキレイにしたい」のように組み合わせたシーンセレクトを新たに表示する（図１３参照）。
【００７１】
このように、ユーザーの使い勝手にあった、生活にあったシーンセレクトを提供することを特徴としている。
【００７２】
また、リモコン１００のインターフェイス表示部１にて製品機能を表示して説明することで、製品に付帯している空気調和機の取扱説明書のもつ機能を一部肩代わりすることを特徴としている。
【００７３】
本実施の形態の特徴を明白にするために、一般的な空気調和機のリモコンについて、簡単に述べる。
【００７４】
図１４乃至図１７を参照しながら、一般的な空気調和機のリモコン２００について説明する。
【００７５】
図１４乃至図１７に示す一般的な空気調和機のリモコン２００は、縦長なスティックタイプのものである。
【００７６】
リモコン２００は、冷房、除湿、暖房などの運転モード、設定温度、設定湿度、風速、風向など空気調和機の運転状態を表示する表示部２０２が設けられている。
【００７７】
表示部２０２の下に、空気調和機の運転・停止を行う入／切ボタン２０３が設けられている。
【００７８】
入／切ボタン２０３の下に、温度の調節を行う温度調節ボタン２０７と湿度の調節を行う湿度調節ボタン２０４とが左右に並べて配置されている。
【００７９】
リモコン２００は、温度の調節を行う温度調節ボタン２０７と湿度の調節を行う湿度調節ボタン２０４の下に、リモコン扉２１５を備える。リモコン扉２１５は下方に開く（図１５参照）。
【００８０】
リモコン扉２１５の表面に、リモコン扉２１５が閉じた状態で操作が可能となるボタンが設けられている。図１６に示すように、リモコン扉２１５の表面の上部に、冷房ボタン２１２、除湿切換ボタン２１１、暖房ボタン２１０が左右に並べて配置されている。
【００８１】
リモコン扉２１５の表面の略中央部に、空気調和機の情報を要求する、おしらせナビボタン２１３（省エネ運転情報要求ボタン）が設けられている。
【００８２】
おしらせナビボタン２１３の下で、リモコン扉２１５の表面の下部に、送風ボタン２１４、入タイマーボタン２１６、切タイマーボタン２１７が左右に並べて配置されている。
【００８３】
温度調節ボタン２０７及び湿度調節ボタン２０４の下に、リモコン扉２１５が開いたときに現れる詳細設定ボタン群２０５が設けられている。詳細設定ボタン群２０５は、例えば、室内機から吹き出される風速及び風向、タイマーなどの詳細設定を行うときに使用される。
【００８４】
詳細設定ボタン群２０５の最下部の中央に、リモコン扉２１５の開閉を検知する扉開閉検知スイッチ２０６が設けられている。
【００８５】
リモコン扉２１５の裏側に、リモコン扉２１５を閉めたときに扉開閉検知スイッチ２０６を押圧して、オフからオンにする突起（図示せず）が形成されている。
【００８６】
このように、一般的な空気調和機のリモコン２００は、リモコン２００の表面、リモコン扉２１５に多くのボタンがある。そのため、日常以外の生活シーンにおける適切なリモコン設定がわからないといった不安や、普段使わない機能はいざというときに使い方がわからず最後はあきらめてしまうといったような、複雑な操作と印象を与えてしまっているといった課題を有している。また、新しい付加価値名称を記載してあるボタンであっても、そのボタンを押したときの効果・機能がわからないといった課題を有している。
【００８７】
本実施の形態のリモコン１００は、既に述べたように、操作ボタンの数を一般的なリモコン２００に比べて、大幅に減らしている。また、一般的なリモコン２００のようなリモコン扉２１５も持たない。
【００８８】
複数のボタンを操作する代わりに、シーンボタン４だけの操作により、リモコン１００のインターフェイス表示部１に表示されるシーンセレクト（メニュー）を選択・決定することで様々な空気調和機の制御が可能となる。
【００８９】
しかも、リモコン１００のインターフェイス表示部１に表示されるシーンセレクト（メニュー）は、ユーザーの日常生活のシーンを言葉で表現するものであり、且つそのシーンをアニメーションで表示する。従って、ユーザーは、付加価値機能に迷うことなく、あきらめることなく空気調和機の付加機能をフルに使うことができる。
【００９０】
リモコン１００のインターフェイス表示部１に表示されるシーンセレクト（メニュー）の数が多く、インターフェイス表示部１に一度に表示できない場合は、スクロールにより全シーンセレクトの選択・決定を可能とする。
【００９１】
リモコン１００のインターフェイス表示部１に表示されるシーンセレクト（メニュー）と、一般的なリモコン２００の各種ボタンとの関係について、若干触れる。
【００９２】
例えば、シーンセレクトの「急いで冷やしたい」は、一般的なリモコン２００の詳細設定ボタン群２０５の中の「ハイパワーボタン」に相当する。
【００９３】
また、シーンセレクトの「風にあたりたくない」は、一般的なリモコン２００の詳細設定ボタン群２０５の中の「風あて／風よけボタン」に相当する。
【００９４】
また、シーンセレクトの「空気をキレイにしたい」は、一般的なリモコン２００の「ミストボタン」に相当する。
【００９５】
また、シーンセレクトの「お肌をケアしたい」は、一般的なリモコン２００の「ミストボタン」に相当する。
【００９６】
また、シーンセレクトの「部屋干ししたい」は、一般的なリモコン２００の「ランドリーボタン」に相当する。
【００９７】
また、シーンセレクトの「快適に寝たい」は、一般的なリモコン２００の「ねむりボタン」に相当する。
【００９８】
このように、一般的なリモコン２００の各種ボタンを、リモコン１００のインターフェイス表示部１に表示されるシーンセレクトの入力内容に置き換えることができる。以上の説明では、一般的なリモコン２００の一部のボタンと、リモコン１００のインターフェイス表示部１に表示されるシーンセレクトの入力内容との関係を説明した。説明は省くが、一般的なリモコン２００の全てのボタンを、リモコン１００のインターフェイス表示部１に表示されるシーンセレクトに置き換えることができる。
【００９９】
このように、本実施の形態のリモコン１００は、一般的なリモコン２００の数が多くて理解しにくいボタンを廃止して、インターフェイス表示部１に表示されるシーンセレクトに置き換え、シーンセレクトをユーザーの日常生活のシーンを言葉で表現し、且つそのシーンをアニメーションで表示するので、ボタン入力ではなく、ユーザーの日常生活のシーンを言葉で表現する入力にすることで、付加価値機能に迷うことなく、且つあきらめることなく空気調和機の付加機能をフルに使うことができ、空気調和機の省エネを容易に実現することを可能とする。
【０１００】
さらに、生活シーン入力にて選択したユーザーニーズを実現する空気調和機の付加機能の効果を、言葉による表現とアニメーションにて表現することでベネフィットを容易に伝えることを可能とし、製品に付帯する取扱説明書をわざわざ見る手間と必要性をなくしたことを特徴とする。
【０１０１】
以下、本発明の実施の形態における空気調和機の遠隔制御装置の特徴を再言する。
【０１０２】
本発明の実施の形態における空気調和機の遠隔制御装置は、
筐体と、
前記筐体の前面に設けられ、画面に、ユーザーの日常生活のシーンを言葉で表現するシーンセレクトを複数表示するインターフェイス表示部と、
前記筐体の前面に設けられ、前記インターフェイス表示部に表示されるシーンセレクトを選択・決定するためのシーンボタンと、を備え、
前記インターフェイス表示部は、前記画面に、前記シーンボタンにより選択されたシーンセレクトのシーンを表現するアニメーションを表示する。
【０１０３】
前記インターフェイス表示部は、前記アニメーションとして、刻々と変化していくアニメーションを表示する。
【０１０４】
前記インターフェイス表示部は、前記画面に、前記シーンセレクトを複数表示するのと同時に前記アニメーションを表示する。
【０１０５】
前記インターフェイス表示部は、前記画面に、前記シーンセレクトを複数表示してから所定時間経過後に、前記画面の全体に、前記アニメーションを表示する。
【０１０６】
前記インターフェイス表示部に表示されるシーンセレクトを、複数選択可能である。
【符号の説明】
【０１０７】
１  インターフェイス表示部、２  運転入／切ボタン、３  運転モード切換ボタン、３ａ  冷房ボタン、３ｂ  除湿切換ボタン、３ｃ  暖房ボタン、４  シーンボタン、４ａ  シーンセレクトボタン、４ｂ  上下ボタン、４ｃ  決定ボタン、５  しつど調節ボタン、６  温度調節ボタン、７  戻るボタン、１０  リモコン本体、１００  リモコン、２００  リモコン、２０２  表示部、２０３  入／切ボタン、２０４  湿度調節ボタン、２０５  詳細設定ボタン群、２０６  扉開閉検知スイッチ、２０７  温度調節ボタン、２１０  暖房ボタン、２１１  除湿切換ボタン、２１２  冷房ボタン、２１３  おしらせナビボタン、２１４  送風ボタン、２１５  リモコン扉、２１６  入タイマーボタン、２１７  切タイマーボタン。
【図１】
0005404841.tif 000002
【図２】
0005404841.tif 000003
【図３】
0005404841.tif 000004
【図４】
0005404841.tif 000005
【図５】
0005404841.tif 000006
【図６】
0005404841.tif 000007
【図７】
0005404841.tif 000008
【図８】
0005404841.tif 000009
【図９】
0005404841.tif 000010
【図１０】
0005404841.tif 000011
【図１１】
0005404841.tif 000012
【図１２】
0005404841.tif 000013
【図１３】
0005404841.tif 000014
【図１４】
0005404841.tif 000015
【図１５】
0005404841.tif 000016
【図１６】
0005404841.tif 000017
【図１７】
0005404841.tif 000018